(57)【特許請求の範囲】
【請求項１】
消火剤ガスを放出し、消火対象区画としてのキュービクル内の消火剤ガスの濃度を消炎濃度以上にすることによって消火するようにした消火設備であって、火災時に点火する点火装置及び該点火装置の点火によって反応してキュービクル内の消火剤ガスの濃度を消炎濃度以上にする量の消火剤ガスを発生するガス発生剤を備えたガス発生器を設置するとともに、該ガス発生器によるキュービクル内での消火を行うことができなかった場合に、ガス発生器を設置したキュービクルを収容した消火区画内に不活性ガス又は水等の他の消火剤を放出する不活性ガス系又は水系等の他の消火設備を設置したことを特徴とする消火設備。
【請求項２】
発生する消火剤ガスが、窒素、水蒸気、二酸化炭素及び一酸化炭素のうちの少なくとも１種であることを特徴とする請求項１記載の消火設備。
【請求項３】
ガス発生器をキュービクルの筺体に直接取り付けるようにしたことを特徴とする請求項１又は２記載の消火設備。
【発明の詳細な説明】
【０００１】
【発明の属する技術分野】
本発明は、消火設備に関し、特に、消火剤ガスの配管を不要とし、設置が容易で、キュービクル等の屋内又は屋外に独立して設置される設備に好適に用いることができる消火設備に関するものである。
【０００２】
【従来の技術】
従来の消火設備としては、例えば、消火剤容器内に貯蔵されている消火剤ガスを消火対象区画内に放出し、消火対象区画内の消火剤ガスの濃度を消炎濃度以上にすることによって消火するようにしたものが実用化されており、消火剤ガスとしては、二酸化炭素、ハロンガス等の不活性ガスが使用されている。
【０００３】
ところが、近年になって、オゾン層の破壊や地球温暖化に関する環境問題が世界的な規模で提唱され、既に一部では、生産規制、使用規制及び大気への排出規制が始まっている。
また、二酸化炭素は、ガス自体の持つ毒性（麻酔性）により、万一消火対象区画内に人が存在していた場合、人命に係わる事態が発生する可能性があり、ハロンガスは、火災時に高温の炎に晒されると極めて有毒なフッ化水素や臭化水素を発生する。
さらに、他の消火設備として、スプリンクラー設備があるが、このスプリンクラー設備は消火時の水損という二次災害を引き起こすことが懸念される。
【０００４】
【発明が解決しようとする課題】
ところで、消火設備は、一般的に、例えば、コンピュータ室、配電盤室、電気室、変圧器室等の消火区画全体をカバーするように設置されるが、火災発生の主な原因は、屋内に設置される配電盤、継電器盤、スイッチボックス内のケーブルの短絡によるスパーク火災や過電流によるケーブル被覆材の燃焼であることが多い。
これら配電盤等は、通常キュービクル等の鋼製箱体に収納されていることから、１つのキュービクル内での火災は、理論的には、キュービクルのみを消火対象とすれば十分であり、この点を考慮すれば、従来の不活性ガスを使用する消火設備やスプリンクラー設備は、設備が大がかりとなり、設置コスト及びランニングコストが使用者の大きな負担となるだけでなく、上記のとおり、水損等の二次災害を引き起こす問題があった。
【０００５】
本発明は、上記従来の消火設備の有する問題点に鑑み、消火剤ガスの配管を不要とし、設置が容易で、各キュービクル毎への取り付けに適した消火設備を提供することを目的とする。
【０００６】
【課題を解決するための手段】
上記目的を達成するため、本発明の消火設備は、消火剤ガスを放出し、消火対象区画としてのキュービクル内の消火剤ガスの濃度を消炎濃度以上にすることによって消火するようにした消火設備であって、火災時に点火する点火装置及び該点火装置の点火によって反応してキュービクル内の消火剤ガスの濃度を消炎濃度以上にする量の消火剤ガスを発生するガス発生剤を備えたガス発生器を設置するとともに、該ガス発生器によるキュービクル内での消火を行うことができなかった場合に、ガス発生器を設置したキュービクルを収容した消火区画内に不活性ガス又は水等の他の消火剤を放出する不活性ガス系又は水系等の他の消火設備を設置したことを特徴とする。
【０００７】
この消火設備は、キュービクル毎にガス発生器を設置し、点火装置によってガス発生剤から瞬時に消火剤ガスを発生させることにより、火災発生箇所での初期消火を行うことが可能となる。
この場合、消火は主として消火剤ガスによる混合気の組成変化により行われるが、ガス発生器が消火剤ガスを高速放射することから、火災の不安定化による消火効果も得ることができ、さらに、消火剤ガスの流速が速いことから、内部機器が詰まったキュービクル内の隅々まで瞬時に消火剤ガスを拡散させて高速で消火することができる。
また、キュービクル内で消火を行うことができなかった場合のキュービクルを収容した消火区画への延焼による火災拡大を確実に防止することができる。
【０００８】
この場合において、発生する消火剤ガスは、ガス発生剤を適宜選定することにより、窒素、水蒸気、二酸化炭素及び一酸化炭素のうちの少なくとも１種を選択することができる。
【０００９】
これにより、消火設備が設置される消火対象に応じた消火剤ガスを選択することができ、消火を安定的に行うことができる。
【００１０】
また、ガス発生器をキュービクルの筺体に直接取り付けるようにすることができる。
【００１１】
これにより、ガス発生器の取り付けを簡単に行うことができるとともに、ガス発生器の取付スペースを省くことができ、既設のキュービクルにもガス発生器を簡易に取り付けることができる。
【００１２】
【発明の実施の形態】
以下、本発明の消火設備の実施の形態を図面に基づいて説明する。
【００１３】
図１〜図３に、本発明の消火設備の一実施例を示す。
本実施例の消火設備は、図１に示すように、ガス発生器１を配電盤を収容するキュービクル２に設置している。
【００１４】
ガス発生器１は、図３に示すように、火災時に点火する雷管等の点火装置３と、この点火装置３によって燃焼する火薬等の点火剤４と、この点火剤４の燃焼によって燃焼し、瞬時に消火剤ガスを発生するガス発生剤５と、消火剤ガスの噴出口６を周面に多数有し、点火装置３、点火剤４及びガス発生剤５を収容するケース７とを備えている。
【００１５】
ところで、このガス発生器１は、個々に消火剤ガスを発生することから、従来のような消火剤ガスの配管が不要であり、さらに、キュービクル２のように内容積が１０００Ｌ（リットル）程度と小さい場合には、小型のものでその目的を達成することができることから、例えば、車両用エアバッグ装置に用いられる汎用製品を使用できる。
このため、消火設備の設置コストとランニングコストを大きく低減することができるとともに、水損等の二次災害を引き起こすおそれが少なく、信頼性の高い消火設備を提供することができるものとなる。
さらに、ガス発生器１は、１００Ｌ〜２００Ｌ程度の消火剤ガスを、例えば、０．０３秒以内に放出するため、高速で消火をすることができ、また、消火剤ガスの流速が速いため、内部機器が詰まったキュービクル２内の隅々まで瞬時に消火剤ガスを拡散させることができ、消火を効率的に行うことができる。
【００１６】
ガス発生器１は、図１（ｂ）に示すように、ガス噴出口６がキュービクル２の内部に位置し、かつケース７の底部がキュービクル２の外から視認できるように、キュービクル２の筺体に直接取り付ける（より具体的には、キュービクル２の筺体を構成する天板に形成した取付孔に固定する）ようにしており、これにより、ガス発生器１の取り付けを簡単に行うことができるとともに、ガス発生器１の取付スペースを省くことができ、既設のキュービクル２にもガス発生器１を簡易に取り付けることができるものとなる。
【００１７】
ガス発生器１には、コントロールボックス８が配線９によって接続されており、このコントロールボックス８は、キュービクル内部の火災を検出する火災センサー１０と、手動起動釦１１と、１次電源（図示省略）とを備え、火災が発生した場合に、自動的又は手動で点火装置３を作動させることができるように構成されている。
【００１８】
また、ガス発生器１は、ガス発生剤５を適宜選定することにより、消火設備が設置される消火対象に応じて、種々の組成の消火剤ガス、例えば、窒素、水蒸気、二酸化炭素及び一酸化炭素のうちの少なくとも１種を選択的に発生させるようにすることができる。
なお、ガス発生剤５としては、例えば、アジ化ナトリウムやテトラゾール等を使用することができる。
本実施例の消火剤ガスの組成と消炎濃度との関係を表１に示す。
【００１９】
【表１】
0004672110.tif 000002
【００２０】
図１に示すキュービクル２は、内容積が１０００Ｌ（リットル）で、仮に配電盤等の内部機器の容積を差し引いた実空間容積を４００Ｌとすれば、消火剤ガスの発生量が２００Ｌのガス発生器１を１台を使用すれば、放出後のキュービクル２内の消火剤ガスの濃度は約４０％となり、表１に示す消炎濃度を上回り、消火を確実に行うことができることが判る。
【００２１】
さらに、図２に示すように、ガス発生器１を設置したキュービクル２を収容した消火区画１２に、ノズル１３ａから不活性ガス又は水等を放出する方式の不活性ガス系又は水系等の他の消火設備１３を併設することが可能であり、これにより、キュービクル２内で消火を行うことができなかった場合に、キュービクル２を収容した消火区画１２への延焼による火災拡大を確実に防止することができるものとなる。
【００２２】
このように、本発明の消火設備は、ガス発生器１から発生する消火剤ガスを利用するもので、下記Ａ〜Ｅの従来の消火設備の消火原理、すなわち、
Ａ  火炎の冷却による消火
Ｂ  混合気（可燃性蒸気、空気、消火剤ガス）の組成変化による消火
Ｃ  火炎の不安定化（火炎中に流入する可燃性蒸気の速度と燃焼速度のバランスを崩す）による消火
Ｄ  消火剤ガスの燃焼抑制作用（化学反応）による消火
Ｅ  可燃物の除去による消火
のうちのＢの混合気の組成変化を利用するものであるが、併せて、消火剤ガスを高速放射することから、Ｃの火炎の不安定化による消火効果も得ることができるものである。
そして、ガス発生器１は、個々に消火剤ガスを発生することから、従来のような消火剤ガスの配管を不要とし、消火設備の設置コストとランニングコストを大きく低減することができる。
【００２３】
以上、本発明の消火設備について、その実施例に基づいて説明したが、本発明は上記実施例に記載した構成に限定されるものではなく、また、消火対象も実施例に記載したキュービクルに限定されるものではなく、その趣旨を逸脱しない範囲において適宜その構成を変更することができるものである。
【００２４】
【発明の効果】
本発明の消火設備によれば、例えば、各キュービクル毎にガス発生器を設置し、点火装置によってガス発生剤から瞬時に消火剤ガスを発生させることにより、火災発生箇所での初期消火を行うことが可能となる。
この場合、消火は主として消火剤ガスによる混合気の組成変化により行われるが、ガス発生器が消火剤ガスを高速放射することから、火災の不安定化による消火効果も得ることができ、さらに、消火剤ガスの流速が速いことから、内部機器が詰まったキュービクル内の隅々まで瞬時に消火剤ガスを拡散させて高速で消火することができる。
そして、ガス発生器は、個々に消火剤ガスを発生することから、従来のような消火剤ガスの配管が不要であり、さらに、小型で、しかも、例えば、車両用エアバッグ装置に用いられる汎用製品を使用できることから、消火設備の設置コストとランニングコストを大きく低減することができるとともに、水損等の二次災害を引き起こすおそれが少なく、信頼性の高い消火設備を提供することができる。
さらに、キュービクルを収容した消火区画に不活性ガス系又は水系等の他の消火設備を設置することにより、キュービクル内で消火を行うことができなかった場合に、キュービクルを収容した消火区画への延焼による火災拡大を確実に防止することができる。
【００２５】
また、発生する消火剤ガスは、消火設備が設置される消火対象に応じて、ガス発生剤を適宜選定することにより、窒素、水蒸気、二酸化炭素及び一酸化炭素のうちの少なくとも１種を選択することができ、これにより、消火を安定的に行うことができる。
【００２６】
また、ガス発生器をキュービクルの筺体に直接取り付けるようにすることにより、ガス発生器の取り付けを簡単に行うことができるとともに、ガス発生器の取付スペースを省くことができ、既設のキュービクルにもガス発生器を簡易に取り付けることができる。
【図面の簡単な説明】
【図１】  本発明の消火設備の一実施例を示し、（ａ）はガス発生器を配電盤に設置した状態を示す斜視図、（ｂ）はガス発生器の取付状態を示す拡大断面図である。
【図２】  キュービクルを収容した消火区画全体を他の消火設備で消火できるようにした例を示す説明図である。
【図３】  ガス発生器の一例を示す断面図である。
【符号の説明】
１    ガス発生器
２    キュービクル
３    点火装置
４    点火剤
５    ガス発生剤
６    ガス噴出口
７    ケース
８    コントロールボックス
９    配線
１０  火災センサー
１１  手動起動釦
１２  消火区画
１３  他の消火設備
【図１】
0004672110.tif 000003
【図２】
0004672110.tif 000004
【図３】
0004672110.tif 000005